(57)【要約】【課題】後方部における液漏れを防止可能な吸収性物品に関する。【解決手段】吸収性物品は、長手方向に並ぶ前方部、中間部、及び後方部を有する吸収性コアと、上記吸収性コア上に配置された表面シートと、上記表面シート側から形成された圧搾溝部と、を具備する。上記吸収性コアは、上記後方部に上記長手方向に沿って設けられ、幅方向の中央部に位置する第１太溝部と、上記第１太溝部の上記幅方向の両側に位置する一対の第２太溝部と、を含むコア溝部を更に有する。上記圧搾溝部は、上記第１太溝部と交差する第１交差部と、上記一対の第２太溝部と交差する一対の第２交差部と、を含み、上記幅方向に延びる軸との間に成す角度が上記一対の第２交差部において上記第１交差部よりも大きい。【選択図】図７
2019208866.tif 000002
【特許請求の範囲】
【請求項１】
長手方向に並ぶ前方部、中間部、及び後方部を有する吸収性コアと、前記吸収性コア上に配置された表面シートと、前記表面シート側から前記吸収性コアに至る圧搾溝部と、を備える吸収性物品であって、
前記吸収性コアは、前記後方部に前記長手方向に沿って設けられ、幅方向の中央部に位置する第１太溝部と、前記第１太溝部の前記幅方向の両側に位置する一対の第２太溝部と、該一対の第２太溝部よりも前記幅方向の外側に位置し、前記第１太溝部及び前記一対の第２太溝部よりも細い細溝部と、を含むコア溝部を更に有し、
前記圧搾溝部は、前記第１太溝部と交差する第１交差部と、前記一対の第２太溝部と交差する一対の第２交差部と、を含み、かつ、前記幅方向に延びる軸との間に成す角度が前記一対の第２交差部において前記第１交差部よりも大きい湾曲部を有する
吸収性物品。
【請求項２】
前記湾曲部は、前記一対の第２交差部から前記第１交差部に向けて後方に突出する後方突出部を更に含む
請求項１に記載の吸収性物品。
【請求項３】
前記圧搾溝部は、前記後方突出部を含む複数の湾曲部を有する
請求項２に記載の吸収性物品。
【請求項４】
前記圧搾溝部は、前記複数の湾曲部の後方突出部よりも後方に位置し、前記第１太溝部と交差する第３交差部と、前記一対の第２太溝部と交差する一対の第４交差部と、前記一対の第４交差部から前記第３交差部に向けて前方に突出する前方突出部と、を含む湾曲部を更に有する
請求項３に記載の吸収性物品。
【請求項５】
前記圧搾溝部は、前記細溝部と交差する
請求項１から４のいずれか１項に記載の吸収性物品。
【請求項６】
前記吸収性コアは、前記中間部の前記幅方向の中央部に設けられ、前記前方部及び前記後方部よりも坪量が高い高坪量部を更に有し、
前記一対の第２太溝部の少なくとも一部が、前記高坪量部と前記長手方向に対向する
請求項１から５のいずれか１項に記載の吸収性物品。
【発明の詳細な説明】
【技術分野】
【０００１】
本発明は、生理用ナプキンなどの吸収性物品に関する。
【背景技術】
【０００２】
特許文献１には、排泄部対向部における液状物の吸収性を高めるために坪量の高い高坪量部が設けられた生理用ナプキンが開示されている。この生理用ナプキンでは、高坪量部が排泄部対向部から後方部にわたる広い範囲に設けられている。これにより、この生理用ナプキンでは、後方部において厚みの大きい高坪量部が着用者の臀裂に入り込むため、後方部における臀裂に沿った液漏れが発生しにくくなる。
【先行技術文献】
【特許文献】
【０００３】
【特許文献１】特開２０１４−１０４０９３号公報
【発明の概要】
【発明が解決しようとする課題】
【０００４】
しかしながら、特許文献１に記載の生理用ナプキンでは、高坪量部の剛性が高いため、高坪量部が設けられた後方部が変形しにくい。このため、この生理用ナプキンでは、後方部が臀部の複雑な曲面形状に沿って変形することができずに、後方部に隙間が発生しやすくなる。生理用ナプキンでは、このように後方部に隙間が発生すると、特に就寝姿勢において液漏れが発生しやすくなる。
【０００５】
本発明の課題は、後方部における液漏れを防止可能な吸収性物品に関する。
【課題を解決するための手段】
【０００６】
本発明の一形態に係る吸収性物品は、長手方向に並ぶ前方部、中間部、及び後方部を有する吸収性コアと、上記吸収性コア上に配置された表面シートと、上記表面シート側から上記吸収性コアに至る圧搾溝部と、を備える。
上記吸収性コアは、上記後方部に上記長手方向に沿って設けられ、幅方向の中央部に位置する第１太溝部と、上記第１太溝部の上記幅方向の両側に位置する一対の第２太溝部と、該一対の第２太溝部よりも上記幅方向の外側に位置し、上記第１太溝部及び上記一対の第２太溝部よりも細い細溝部を含むコア溝部を更に有する。
上記圧搾溝部は、上記第１太溝部と交差する第１交差部と、上記一対の第２太溝部と交差する一対の第２交差部と、を含み、かつ、上記幅方向に延びる軸との間に成す角度が上記一対の第２交差部において上記第１交差部よりも大きい湾曲部を有する。
【発明の効果】
【０００７】
本発明の吸収性物品によれば、後方部における液漏れを防止可能となる。
【図面の簡単な説明】
【０００８】
【図１】本発明の一実施形態に係るナプキンの斜視図である。
【図２】上記ナプキンを平面に沿って展開して示す平面図である。
【図３】上記ナプキンの図２のIII−III線に沿った断面図である。
【図４】上記ナプキンの吸収性コアの平面図である。
【図５】上記吸収性コアの図４の一点鎖線で囲んだ領域Vを拡大して示す部分平面図である。
【図６】上記ナプキンの図５に対応する領域における圧搾溝部の部分平面図である。
【図７】上記ナプキンの図５に対応する領域における吸収性コア及び圧搾溝部の部分平面図である。
【図８Ａ】上記ナプキンの図７の一点鎖線で囲んだ領域VIIIAにおける吸収性コア及び圧搾溝部を拡大して示す模式図である。
【図８Ｂ】上記ナプキンの図７の一点鎖線で囲んだ領域VIIIBにおける吸収性コア及び圧搾溝部を拡大して示す模式図である。
【図８Ｃ】上記ナプキンの図７の一点鎖線で囲んだ領域VIIICにおける吸収性コア及び圧搾溝部を拡大して示す模式図である。
【発明を実施するための形態】
【０００９】
以下、図面を参照しながら、本発明の一実施形態を説明する。
図面には、適宜相互に直交するＸ軸、Ｙ軸、及びＺ軸が示されている。Ｘ軸、Ｙ軸、及びＺ軸は全図において共通である。
【００１０】
［ナプキン１の全体構成］
図１に示すナプキン１は、着用者の経血などの液状物を吸収するための吸収性物品である生理用ナプキンであり、例えば、就寝中に利用される夜用の生理用ナプキンとして構成される。図２では、図１に示すナプキン１をＸＹ平面に沿って引き延ばした展開図として示している。図２に示すナプキン１では、Ｘ軸方向が長手方向に対応し、Ｙ軸方向が幅方向に対応し、Ｚ軸方向が厚み方向に対応する。なお、本明細書では、Ｚ軸方向（厚み方向）に関しては、着用時に着用者の肌に近い側を上、着衣に近い側を下という事がある。
【００１１】
ナプキン１は、本体部Ｍと、ウイング部Ｗと、フラップ部Ｆと、を備える。本体部Ｍは、Ｘ軸方向に沿って帯状に延びる。ウイング部Ｗ及びフラップ部Ｆは、本体部ＭからＹ軸方向外側に延出する。ウイング部Ｗは本体部ＭのＸ軸方向中央部の前方寄りに位置し、フラップ部Ｆはウイング部ＷよりもＸ軸方向後方に位置している。なお、ナプキン１では、ウイング部Ｗ及びフラップ部Ｆは必須の構成ではない。
【００１２】
また、ナプキン１の後方部におけるＹ軸方向中央には、表面シート１２側に窪み部６０が設けられている。窪み部６０は、ナプキン１の後方部におけるＹ軸方向中央部分を指で触って認識できるように設けられている。窪み部６０は、Ｘ軸方向の全長が大きく、装着時に後方部が視認し難いナプキン１を適正な位置に装着するのに役立つ。なお、ナプキン１では、窪み部６０は必須の構成ではない。
【００１３】
図３に示すように、ナプキン１は、吸収体１１と、表面シート１２と、裏面シート１３と、サイドシート１４と、を備える。裏面シート１３は、本体部Ｍ及びウイング部Ｗにわたって延び、Ｚ軸方向上側に吸収体１１、表面シート１２、及びサイドシート１４を保持する。吸収体１１は、本体部Ｍに位置し、Ｚ軸方向上側から表面シート１２に覆われている。サイドシート１４は、ウイング部Ｗ及びフラップ部Ｆに位置する。
【００１４】
表面シート１２は、液透過性を有し、Ｚ軸方向上側から排泄された液状物を吸収体１１に透過させる。吸収体１１は、表面シート１２を透過した液状物を吸収可能に構成されている。裏面シート１３は、防漏性を有し、吸収体１１からＺ軸方向下方への液漏れを防止する。また、裏面シート１３のＺ軸方向下側には、ナプキン１を下着に固定するための粘着部１５が設けられている。
【００１５】
吸収体１１は、吸収性コア２０と、吸収性コア２０を被覆するコアラップシート３０と、を有する。コアラップシート３０は、例えばティッシュペーパーなどの液透過性のシートで構成され、表面シート１２を透過した液状物を吸収性コア２０に透過させる。吸収性コア２０は、例えばパルプ繊維などの親水性繊維の集合体で構成され、コアラップシート３０を透過した液状物を吸収して保持する。
【００１６】
吸収性コア２０を構成する親水性繊維としては、公知の親水性繊維から任意に選択可能である。具体的に、親水性繊維としては、例えば、パルプ繊維、レーヨン繊維、コットン繊維、酢酸セルロースなどのセルロース系の親水性繊維、ポリエチレン、ポリプロピレンなどのポリオレフィン系繊維、ポリエステル、ポリアミドなどの縮合系繊維から１種又は２種以上を選択可能である。
【００１７】
吸収性コア２０には、親水性繊維に担持された吸水性ポリマーが含まれていてもよい。具体的に、吸水性ポリマーとしては、例えば、ポリアクリル酸ナトリウム、アクリル酸−ビニルアルコール共重合体、ポリアクリル酸ナトリウム架橋体、でんぷん−アクリル酸グラフト共重合体、イソブチレン−無水マレイン酸共重合体及びそのケン化物、ポリアスパラギン酸から１種又は２種以上を選択可能である。
【００１８】
また、ナプキン１は、本体部Ｍに設けられた圧搾溝部５０を備える。圧搾溝部５０は、本体部Ｍの外側への液漏れを防止可能なように、ＸＹ平面に沿って設けられた線状溝である。圧搾溝部５０は、典型的には、本体部Ｍ内の領域をＹ軸方向に対称に周回する形状で設けられる。圧搾溝部５０は、吸収体１１上の表面シート１２のＺ軸方向上側からの圧搾加工によって形成される。
【００１９】
圧搾加工された圧搾溝部５０では、表面シート１２及びコアラップシート３０が、吸収性コア２０中へＺ軸方向下方に沈み込んでいる。圧搾溝部５０では、吸収性コア２０がＺ軸方向下方に圧縮されて高密度となっているため、吸収性コア２０の剛性が高い。したがって、圧搾溝部５０によって、吸収性コア２０の剛性を部分的に高くすることすることができる。圧搾溝部５０の詳細な構成については後述する。
【００２０】
［吸収性コア２０の詳細］
（吸収性コア２０の平面形状）
図４に示すように、吸収性コア２０は、Ｘ軸方向に帯状に延びる。また、吸収性コア２０は、Ｘ軸方向に並ぶ、前方部２１、中間部２２、及び後方部２３を有する。つまり、吸収性コア２０では、前方部２１及び後方部２３が、中間部２２を挟んでＸ軸方向に対向している。吸収性コア２０は、前方部２１、中間部２２、及び後方部２３のいずれにおいても、Ｙ軸方向に左右対称な平面形状を有する。
【００２１】
吸収性コア２０は、前方部２１と後方部２３とでＹ軸方向の寸法が等しく、装着者の両脚にＹ軸方向に挟まれる中間部２２においてＹ軸方向に括れた形状を有する。これにより、吸収性コア２０では、より多くの液状物を吸収できるように前方部２１及び後方部２３のＹ軸方向の寸法を大きくしても、装着者の両脚から中間部２２に加わる力の影響による変形や位置ずれの発生を抑制することができる。
【００２２】
中間部２２のＹ軸方向の寸法は、好ましくは４０ｍｍ以上７５ｍｍ以下であり、より好ましくは５０ｍｍ以上７０ｍｍ以下である。なお、吸収性コア２０では、中間部２２においてＹ軸方向に括れた形状であることは必須ではない。例えば、前方部２１及び後方部２３のＹ軸方向の寸法が大きくない場合には、中間部２２も前方部２１及び後方部２３と同等のＹ軸方向の寸法を有していてもよい。
【００２３】
また、吸収性コア２０のＹ軸方向の寸法は、前方部２１と後方部２３とで異なっていてもよい。更に、吸収性コア２０では、前方部２１、中間部２２、及び後方部２３のそれぞれにおけるＹ軸方向の寸法が一定でなくてもよく、前方部２１、中間部２２、及び後方部２３が曲線的な輪郭を有していてもよい。加えて、吸収性コア２０における前方部２１、中間部２２、及び後方部２３のＸ軸方向に占める比率は適宜決定可能である。
【００２４】
（高坪量部２４）
吸収性コア２０は、図４にドットパターンで示す位置に高坪量部２４を有する。つまり、高坪量部２４は、排泄部対向領域を含む中間部２２のＹ軸方向中央部に位置する。図３に示すように、高坪量部２４は、Ｚ軸方向上方に突出しており、吸収性コア２０における高坪量部２４以外の部分よりも坪量が高い。坪量が高い高坪量部２４は、排泄部から排泄された液状物をより良好に吸収可能である。
【００２５】
高坪量部２４の坪量は、適宜決定可能である。一例として、高坪量部２４の坪量は、吸収性コア２０における高坪量部２４以外の部分の坪量よりも、５０ｇ／ｍ２以上大きいことが好ましく、１００ｇ／ｍ２以上大きいことがより好ましい。また、高坪量部２４の坪量は、好ましくは４００ｇ／ｍ２以上１０００ｇ／ｍ２以下であり、より好ましくは５００ｇ／ｍ２以上９００ｇ／ｍ２以下である。
【００２６】
吸収性コア２０には、高坪量部２４の周縁を囲む周縁溝部２４ａが設けられている。周縁溝部２４ａは、Ｚ軸方向に肉薄であるため、剛性が低くなっている。このため、吸収性コア２０では、周縁溝部２４ａが、高坪量部２４以外の部分に加わる変形などによる高坪量部２４への影響を抑制する。これにより、吸収性コア２０では、高坪量部２４が変形しにくくなるため、液漏れが生じにくくなる。
【００２７】
なお、高坪量部２４は、図３，４に示す構成に限定されない。例えば、高坪量部２４の平面形状は、図４に示すようなＸ軸方向両端部が丸みを帯びた形状ではなく、角ばった矩形状であってもよい。また、吸収性コア２０では、液状物の吸収性が充分に確保できる場合などには、高坪量部２４を省略してもよい。この場合、吸収性コア２０の坪量は、その全体にわたって均一とすることができる。
【００２８】
（コア溝部４０）
吸収性コア２０には、Ｚ軸方向上側から下側に凹むコア溝部４０が形成されている。図４に示すように、コア溝部４０は、Ｘ軸方向に延び、Ｙ軸方向に配列された縦溝と、Ｙ軸方向に延び、Ｘ軸方向に配列された横溝と、を含む。コア溝部４０は、Ｚ軸方向の寸法が小さく、つまり肉薄であるため、剛性が低くなっている。したがって、吸収性コア２０には、コア溝部４０を起点とする変形が発生しやすい。
【００２９】
つまり、吸収性コア２０にコア溝部４０を設けることにより、吸収性コア２０の変形の起点を予め定めることができる。これにより、ナプキン１では、着用時の吸収性コア２０の変形を制御することができ、例えば着用者の寝返りなどの動作時における吸収性コア２０の意図しない変形による隙間の発生を抑制することができる。これにより、ナプキン１では、液漏れを発生しにくくすることができる。
【００３０】
また、図４に示すように、コア溝部４０の溝幅は一定ではなく、吸収性コア２０には相互に異なる溝幅のコア溝部４０が含まれる。吸収性コア２０では、溝幅の大きいコア溝部４０ほど変形の起点となりやすい。このため、吸収性コア２０に求められる変形に応じて、大きい変形を生じさせたい領域のコア溝部４０の溝幅を大きく、変形を小さく留めたい領域のコア溝部４０の溝幅を小さく形成することができる。
【００３１】
図５は、吸収性コア２０の後方部２３を示している。後方部２３のコア溝部４０には、第１太溝部４１と、第２太溝部４２と、細溝部４３と、が含まれる。第１太溝部４１、第２太溝部４２、及び細溝部４３はいずれも、Ｘ軸方向に延びる縦溝である。第１太溝部４１及び第２太溝部４２の溝幅は同等である。細溝部４３の溝幅は第１太溝部４１及び第２太溝部４２の溝幅よりも小さい。
【００３２】
第１太溝部４１は、Ｙ軸方向中央部に位置する。第２太溝部４２は、第１太溝部４１のＹ軸方向両側に位置する。細溝部４３は、第２太溝部４２よりも更にＹ軸方向外側に位置する。つまり、第１太溝部４１及び第２太溝部４２はいずれも、細溝部４３よりもＹ軸方向内側に位置している。なお、コア溝部４０には、必要に応じ、第１太溝部４１、第２太溝部４２、及び細溝部４３以外の縦溝が含まれていてもよい。
【００３３】
太溝部４１，４２の溝幅は、特定の構成に限定されない。一例として、太溝部４１，４２の溝幅は、典型的には２．５ｍｍ以上であり、好ましくは３ｍｍ以上である。また、太溝部４１，４２の溝幅は、典型的には５．５ｍｍ以下であり、好ましくは５ｍｍ以下である。更に、太溝部４１，４２の溝幅は、典型的には２．５ｍｍ以上５．５ｍｍ以下であり、好ましくは３ｍｍ以上５ｍｍ以下である。
【００３４】
細溝部４３の溝幅も、特定の構成に限定されない。一例として、細溝部４３の溝幅は、典型的には０．５ｍｍ以上であり、好ましくは１ｍｍ以上である。また、細溝部４３の溝幅は、典型的には２．５ｍｍ以下であり、好ましくは２ｍｍ以下である。更に、細溝部４３の溝幅は、典型的には０．５ｍｍ以上２．５ｍｍ以下であり、好ましくは１ｍｍ以上２ｍｍ以下である。
【００３５】
第１太溝部４１及び第２太溝部４２は、細溝部４３よりも液状物がＸ軸方向に流れる流路となりやすい。この点、吸収性コア２０では、第１太溝部４１及び第２太溝部４２がいずれもＹ軸方向内側に配置されているため、液状物をＹ軸方向内側に留めることができる。これにより、ナプキン１では、吸収性コア２０のＹ軸方向外側への液漏れの発生を抑制することができる。
【００３６】
また、液漏れの発生を更に効果的に抑制するために、第１太溝部４１及び第２太溝部４２の位置は、吸収した液状物を保持する機能を有する高坪量部２４が配置されたＹ軸方向の範囲Ｒ２４（図５参照）と同程度の範囲内に収まっていることが更に好ましい。この観点から、Ｙ軸方向外側に位置する第２太溝部４２の溝幅方向の少なくとも一部が、高坪量部２４とＸ軸方向に対向していることが好ましい。
【００３７】
吸収性コア２０の後方部２３では、Ｙ軸方向内側の領域が臀裂に対向する。後方部２３のＹ軸方向内側の領域は、変形の起点になりやすい第１太溝部４１及び第２太溝部４２が配置されているため、臀裂に食い込むように大きく変形することができる。この一方で、後方部２３の細溝部４３が形成されたＹ軸方向外側の領域は、緩やかに変形することにより、臀部の形状に沿って滑らかにフィットする。
【００３８】
また、吸収性コア２０の後方部２３では、Ｙ軸方向中央部に位置する第１太溝部４１が臀裂に最も深く食い込む。このため、後方部２３では、第１太溝部４１が選択的に、第２太溝部４２よりも大きい変形の起点となる必要がある。第１太溝部４１を確実に大きい変形の起点とするためには、第２太溝部４２の剛性を第１太溝部４１の剛性よりも高くする必要がある。
【００３９】
この一方で、第１太溝部４１のＹ軸方向両側に隣接する第２太溝部４２も、第１太溝部４１とともに臀裂に食い込む際に、第１太溝部４１に次いで大きく変形する必要がある。このため、第２太溝部４２の剛性は、第１太溝部４１の剛性に準ずる程度に低く留めることが好ましい。したがって、第２太溝部４２の剛性は、第１太溝部４１の剛性よりも僅かに高い程度とすることが好ましい。
【００４０】
［圧搾溝部５０の詳細］
図６は、図５に示す領域Vに対応する領域における圧搾溝部５０を示している。圧搾溝部５０には、吸収性コア２０の後方部２３に対応する位置に、Ｘ軸方向前方から後方に張り出した第１湾曲部５１、第２湾曲部５２、及び第３湾曲部５３が設けられている。圧搾溝部５０では、Ｘ軸方向前方から後方に向けて、第１湾曲部５１、第２湾曲部５２、第３湾曲部５３の順番で並んでいる。
【００４１】
第１湾曲部５１及び第２湾曲部５２はそれぞれ、Ｙ軸方向中央部にＸ軸方向の後端部Ｐを有し、Ｘ軸方向前方から後端部Ｐに向けてＸ軸方向後方に突出している。第３湾曲部５３は、Ｙ軸方向中央部の両外側にそれぞれＸ軸方向の後端部Ｐを有し、２つの後端部ＰからＹ軸方向中央部に向けてＸ軸方向前方に突出している。つまり、第１湾曲部５１及び第２湾曲部５２はＵ字状であり、第３湾曲部５３はＷ字状である。
【００４２】
図７は、図５に示す吸収性コア２０に、図６に示す圧搾溝部５０を重ねて示している。圧搾溝部５０は、第１太溝部４１、第２太溝部４２、及び細溝部４３と交差している。第１太溝部４１、第２太溝部４２、及び細溝部４３はそれぞれ、圧搾溝部５０と交差することで部分的に剛性が高くなっている。つまり、第１太溝部４１、第２太溝部４２、及び細溝部４３は、圧搾溝部５０によって変形が抑制される。
【００４３】
より具体的に、第１湾曲部５１は、第１太溝部４１と交差する交差部５１ａと、第２太溝部４２と交差する交差部５１ｂと、を有する。第２湾曲部５２は、第１太溝部４１と交差する交差部５２ａと、第２太溝部４２と交差する交差部５２ｂと、を有する。第３湾曲部５３は、第１太溝部４１と交差する交差部５３ａと、第２太溝部４２と交差する交差部５３ｂと、を有する。
【００４４】
図８Ａは第１湾曲部５１の交差部５１ａ，５１ｂ付近を示し、図８Ｂは第２湾曲部５２の交差部５２ａ，５２ｂ付近を示し、図８Ｃは第３湾曲部５３の交差部５３ａ，５３ｂ付近を示している。図８Ａ〜８Ｃは、太溝部４１，４２及び湾曲部５１〜５３をそれぞれ溝幅方向の中心線で模式的に示している。なお、図８Ａ〜８Ｃでは、太溝部４１，４２及び湾曲部５１〜５３以外の構成を省略している。
【００４５】
図８Ａには、第１湾曲部５１の交差部５１ａ，５１ｂを通り、Ｙ軸に平行な軸Ｃと、交差部５１ａ，５１ｂにおける第１湾曲部５１の接線Ｔと、が示されている。交差部５１ａでは、軸Ｃと接線Ｔとが一致し、軸Ｃと接線Ｔとの成す角度θがゼロである。交差部５１ｂでは、軸Ｃと接線Ｔとがゼロより大きい角度θを成している。つまり、軸Ｃと接線Ｔとの成す角度θは、交差部５１ｂにおいて交差部５１ａよりも大きい。
【００４６】
したがって、交差部５１ａでは第１湾曲部５１と第１太溝部４１とが直交するのに対し、交差部５１ｂでは第１湾曲部５１と第２太溝部４２とが斜めに交差する。このため、第２太溝部４２では、第１太溝部４１よりも、第１湾曲部５１との交差面積が大きくなるため、広い領域で剛性が高くなる。このように、第１湾曲部５１の作用によって、第１太溝部４１と第２太溝部４２とにおける剛性の差が得られる。
【００４７】
図８Ｂには、第２湾曲部５２の交差部５２ａ，５２ｂを通り、Ｙ軸に平行な軸Ｃと、交差部５２ａ，５２ｂにおける第２湾曲部５２の接線Ｔと、が示されている。第２湾曲部５２では、第１湾曲部５１と同様に、軸Ｃと接線Ｔとの成す角度θは、交差部５２ｂにおいて交差部５２ａよりも大きい。したがって、第２湾曲部５２の作用によっても、第１太溝部４１と第２太溝部４２とにおける剛性の差が得られる。
【００４８】
なお、湾曲部５１，５２では、交差部５１ａ，５２ａが角度θの小さい第１交差部として構成され、交差部５１ｂ，５２ｂが交差部５１ａ，５２ａよりも角度θの大きい第２交差部として構成されていればよい。このため、第１交差部５１ａ，５２ａにおける角度θは、ゼロでなくてもよい。第２交差部５１ｂ，５２ｂにおける角度θは、湾曲部５１，５２の形状によって様々に変更可能である。
【００４９】
湾曲部５１，５２では、第１太溝部４１の変形を抑制する第１交差部５１ａ，５２ａがＸ軸方向後方に位置し、第２太溝部４２の変形を抑制する第２交差部５１ｂ，５２ｂがＸ軸方向前方に位置する。これにより、第２交差部５１ｂ，５２ｂから第１交差部５１ａに向けて後方に突出する後方突出部５１ｃ，５２ｃが形成される。このような構成により、吸収性コア２０では、更に第１太溝部４１が選択的に変形しやすくなる。
【００５０】
圧搾溝部５０では、複数の湾曲部５１，５２を設けることにより、各太溝部４１，４２のＸ軸方向に沿った複数箇所において剛性を高くすることができる。これにより、各太溝部４１，４２の剛性をＸ軸方向に沿って安定させることができる。また、圧搾溝部５０には、湾曲部５１，５２以外にも、第１交差部、第２交差部、及び後方突出部を有する湾曲部が設けられていてもよい。
【００５１】
図８Ｃには、第３湾曲部５３の交差部５３ａ，５３ｂを通り、Ｙ軸に平行な軸Ｃと、交差部５３ａ，５３ｂにおける第３湾曲部５３の接線Ｔと、が示されている。交差部５３ａ，５３ｂのいずれにおいても、軸Ｃと接線Ｔとが一致し、軸Ｃと接線Ｔとの成す角度θがゼロである。このため、第１太溝部４１と第２太溝部４２とで、第３湾曲部５３との交差面積が同等となる。
【００５２】
したがって、第３湾曲部５３は、第１太溝部４１と第２太溝部４２とで剛性を異ならせる作用を有さない。つまり、後方部２３の中でも第３湾曲部５３が位置するＺ軸方向の後側の領域では、臀裂が浅くなっているため、第１太溝部４１の変形が小さくなる。このため、第３湾曲部５３が位置する領域では、第２太溝部４２の剛性を高めて、第１太溝部４１を選択的に変形させる必要性が低い。
【００５３】
また、第１太溝部４１の変形を抑制する交差部５３ａがＸ軸方向前方に位置する第３交差部として構成され、第２太溝部４２の変形を抑制する交差部５３ｂがＸ軸方向後方に位置する第４交差部として構成される。第３湾曲部５３では、第４交差部５３ｂから第３交差部５３ａに向けて、湾曲部５１，５２の後方突出部５１ｃ，５２ｃとは反対に、Ｘ軸方向前方に突出する前方突出部５３ｃが形成される。
【００５４】
圧搾溝部５０では、第３湾曲部５３の第３交差部５３ａ及び第４交差部５３ｂを設けることにより、太溝部４１，４２に対して、湾曲部５１，５２の第１交差部５１ａ，５２ａ及び第２交差部５１ｂ，５２ｂとは異なる変形のモードを付与することができる。これにより、吸収性コア２０の後方部２３における第３湾曲部５３よりもＸ軸方向前方の領域の変形状態を良好に維持することができる。
【００５５】
なお、必要に応じて、第３湾曲部５３によって、第１太溝部４１と第２太溝部４２との間の剛性に差をつけることもできる。つまり、第３湾曲部５３の後端部Ｐ（図６参照）の位置をＹ軸方向内側又は外側にずらすことにより、第３湾曲部５３と第２太溝部４２とを斜めに交差させることができる。これにより、第３湾曲部５３によっても、第２太溝部４２の剛性を第１太溝部４１よりも高くすることができる。
【００５６】
また、圧搾溝部５０は、第１湾曲部５１及び第２湾曲部５２の少なくとも一方を含んでいれば、第１太溝部４１を選択的に大きい変形の起点とする作用が得られる。このため、圧搾溝部５０では、第１湾曲部５１及び第２湾曲部５２のいずれか一方を省略することができる。また、圧搾溝部５０では、第３湾曲部５３を省略することもでき、また必要に応じて複数の第３湾曲部５３を設けることもできる。
【００５７】
更に、圧搾溝部５０は、細溝部４３との交差数や交差角度などによって、細溝部４３の剛性を変化させることができる。しかしながら、剛性が低い細溝部４３では、太溝部４１，４２に比べて圧搾溝部５０によって剛性を微調整する必要性が低い。このため、圧搾溝部５０は、細溝部４３とは交差していなくてもよい。更に、圧搾溝部５０では、細溝部４３を省略することもできる。
【００５８】
加えて、上述の実施形態では太溝部４１，４２の溝幅が略同じであったが、太溝部４１，４２に大きい剛性の差をつけるためには、太溝部４１，４２の溝幅に差異を設けることも可能である。しかしながら、上述の実施形態の圧搾溝部５０の構成は、太溝部４１，４２の溝幅に実質的な差異を設けることなく、容易に太溝部４１，４２に僅かな剛性の差をつけることができる点で好ましい。
【００５９】
［その他の実施形態］
以上、本発明の各実施形態について説明したが、本発明は上述の実施形態にのみ限定されるものではなく、本発明の要旨を逸脱しない範囲内において種々変更を加え得ることは勿論である。例えば、本発明は、生理用ナプキン以外の吸収性物品に適用することも可能である。このような吸収性物品としては、例えば、失禁パット、おりものシート、使い捨ておむつなどが挙げられる。
【符号の説明】
【００６０】
１…ナプキン
１１…吸収体
２０…吸収性コア
２１…前方部
２２…中間部
２３…後方部
２４…高坪量部
４０…コア溝部
４１，４２…太溝部
４３…細溝部
５０…圧搾溝部
５１，５２，５３…湾曲部
５１ａ，５１ｂ，５２ａ，５２ｂ，５３ａ，５３ｂ…交差部
５１ｃ，５２ｃ…後方突出部
５３ｃ…前方突出部
６０…窪み部
【図１】
2019208866.tif 000003
【図２】
2019208866.tif 000004
【図３】
2019208866.tif 000005
【図４】
2019208866.tif 000006
【図５】
2019208866.tif 000007
【図６】
2019208866.tif 000008
【図７】
2019208866.tif 000009
【図８Ａ】
2019208866.tif 000010
【図８Ｂ】
2019208866.tif 000011
【図８Ｃ】
2019208866.tif 000012